(57)【要約】【課題】棚板の取り付けおよび取り外しが容易な棚板の取付構造を提供する。【解決手段】棚受用の取付壁を構成する桟パネル２と、この桟パネル２に取り付けられた棚板３とを有している。桟パネル２は、左右方向Ｘ１に延びる棒状の複数の桟材４を有し、これら複数の桟材４が上下方向Ｚ１に互いに一定の間隔Ｌ１を開けて配列されている。棚板３の下面１８に、前後方向Ｙ１にスライド変位可能な楔片材２０が取り付けられている。棚板３の奥縁１１が桟パネル２の桟材４間の隙間６に差し込まれ、棚板３の上面１２の係合溝１４が、桟材４に係合している。後位置にある楔片材２０が、棚板３の下面１８と桟材４との間に嵌まっている。係合溝１４は、桟パネル２に含まれる何れの桟材４に対しても下方から嵌まり得る。【効果】棚板３のレイアウトを容易に変更できる。【選択図】図５
2011041608.tif 000002
【特許請求の範囲】
【請求項１】
左右方向に延びる棒状の複数の桟材を有し、これら複数の桟材が上下方向に互いに一定の間隔を開けて配列されることにより棚受用の取付壁を構成する桟パネルと、
左右方向に延びる直線状の奥縁を有するとともに、水平方向に広がっており、上記奥縁が上記桟パネルの桟材間の隙間に差し込まれることにより上記桟パネルに支持される棚板と、
上記棚板の上面に形成された係合溝であって、当該係合溝は、上記奥縁とは所定の間隔を開けて上記奥縁に対して平行に延びており、上記桟パネルの桟材に対して下方から嵌まり得る係合溝と、
上記棚板を上記桟パネルに固定するために上記棚板の下面に取り付けられており、左右方向に延びた楔片材であって、当該楔片材は、上記棚板の上記下面に沿って前後方向にスライド変位可能とされ、上記係合溝の下に位置する後位置と、上記係合溝の下から前方寄りに外れた前位置とに変位可能な楔片材とを備え、
上記溝の底面から上記楔片材の下面までの寸法は、上記桟材の間隔とされていることを特徴とする棚の取付構造。
【請求項２】
左右方向に延びる棒状の複数の桟材を有し、これら複数の桟材が上下方向に互いに一定の間隔を開けて配列されることにより棚受用の取付壁を構成する桟パネルに対して取り付けられる棚板であって、
上記棚板は、左右方向に延びる直線状の奥縁を有するとともに、水平方向に広がっており、
上記棚板の上面には、上記桟パネルの上記桟材に係合する係合溝が形成されており、当該係合溝は、上記奥縁とは所定の間隔を開けて上記奥縁に対して平行に延びており、上記桟パネルの桟材に対して下方から嵌まるようにされ、
上記棚板の下面には、上記棚板を上記桟パネルに固定するための左右方向に延びた楔片材が取り付けられており、この楔片材は、上記棚板の上記下面に沿って前後方向にスライド変位可能とされ、上記係合溝の下に位置する後位置と、上記係合溝の下から前方寄りに外れた前位置とに変位可能とされており、
上記溝の底面から上記楔片材の下面までの寸法は、上記桟材の間隔とされていることを特徴とする棚板。
【請求項３】
上記棚板の上記下面には、左右方向に互いに所定の間隔をあけて少なくとも２つのナットが埋設されており、
上記楔片材には、左右方向に互いに所定の間隔をあけ、上記ナットの埋設位置に対応する位置に、前後方向に延びる長孔がそれぞれ形成されており、
上記長孔を下方から貫通し対応する上記ナットにそれぞれねじ嵌合する少なくとも２つのボルトによって、上記楔片材は、前後方向にスライド変位可能に保持されていることを特徴とする請求項２記載の棚板。
【請求項４】
上記楔片材の後端縁は、後方に向かうにしたがって棚板の下面に近づく上向きの傾斜面を含むことを特徴とする請求項２または３記載の棚板。
【請求項５】
上記楔片材の左右方向中央部には、楔片材を前方に変位させる際に手指をひっかける操作用の孔が形成されていることを特徴とする請求項２〜３のいずれかに記載の棚板。
【発明の詳細な説明】
【技術分野】
【０００１】
本発明は、棚の取付構造および棚板に関する。
【背景技術】
【０００２】
学習机には、通常、本棚が組合わされる。係る本棚は、棚板のレイアウトが自由に行えることが望ましく、従来より、棚の取付構造が種々提案されている。
たとえば、特許文献１には、棚の仕切装置及び学習机の棚装置と題した提案が開示されている。特許文献１の提案は、側幕板１３に形成した横長開口１４に棚板の側部を差し込むことにより、棚板の側部が保持される。
【０００３】
また、特許文献２には、学習机用本棚が開示されている。特許文献２に開示の構成では、下ガイド棚１５で支持されたカウンター１８が、着脱可能にされている。
【先行技術文献】
【特許文献】
【０００４】
【特許文献１】特開２００５−２６１５３６号公報
【特許文献２】特開２００６−５５４１６６号公報
【発明の概要】
【発明が解決しようとする課題】
【０００５】
学習机等と一緒に使用される棚は、棚板のレイアウトが自由自在であれば、使い勝手が良い。また、棚板のレイアウト変更に際し、棚板の取り外しが容易で、また、取り付けも容易なことが望ましい。
特許文献１、２に開示の技術は、さらに改良の余地があり、より使い勝手の向上した棚の取付構造および棚板が望まれる。
【０００６】
この発明は、このような背景の基になされたものであり、棚板の取り付けおよび取り外しが容易であり棚板のレイアウトを自由に変更できる棚の取付構造および棚板を提供することを主たる目的とする。
【課題を解決するための手段】
【０００７】
請求項１記載の発明は、左右方向に延びる棒状の複数の桟材を有し、これら複数の桟材が上下方向に互いに一定の間隔を開けて配列されることにより棚受用の取付壁を構成する桟パネルと、左右方向に延びる直線状の奥縁を有するとともに、水平方向に広がっており、上記奥縁が上記桟パネルの桟材間の隙間に差し込まれることにより上記桟パネルに支持される棚板と、上記棚板の上面に形成された係合溝であって、当該係合溝は、上記奥縁とは所定の間隔を開けて上記奥縁に対して平行に延びており、上記桟パネルの桟材に対して下方から嵌まり得る係合溝と、上記棚板を上記桟パネルに固定するために上記棚板の下面に取り付けられており、左右方向に延びた楔片材であって、当該楔片材は、上記棚板の上記下面に沿って前後方向にスライド変位可能とされ、上記係合溝の下に位置する後位置と、上記係合溝の下から前方寄りに外れた前位置とに変位可能な楔片材とを備え、上記溝の底面から上記楔片材の下面までの寸法は、上記桟材の間隔とされていることを特徴とする棚の取付構造である。
【０００８】
請求項２記載の発明は、左右方向に延びる棒状の複数の桟材を有し、これら複数の桟材が上下方向に互いに一定の間隔を開けて配列されることにより棚受用の取付壁を構成する桟パネルに対して取り付けられる棚板であって、上記棚板は、左右方向に延びる直線状の奥縁を有するとともに、水平方向に広がっており、上記棚板の上面には、上記桟パネルの上記桟材に係合する係合溝が形成されており、当該係合溝は、上記奥縁とは所定の間隔を開けて上記奥縁に対して平行に延びており、上記桟パネルの桟材に対して下方から嵌まるようにされ、上記棚板の下面には、上記棚板を上記桟パネルに固定するための左右方向に延びた楔片材が取り付けられており、この楔片材は、上記棚板の上記下面に沿って前後方向にスライド変位可能とされ、上記係合溝の下に位置する後位置と、上記係合溝の下から前方寄りに外れた前位置とに変位可能とされており、上記溝の底面から上記楔片材の下面までの寸法は、上記桟材の間隔とされていることを特徴とする棚板である。
【０００９】
請求項３記載の発明は、上記棚板の上記下面には、左右方向に互いに所定の間隔をあけて少なくとも２つのナットが埋設されており、上記楔片材には、左右方向に互いに所定の間隔をあけ、上記ナットの埋設位置に対応する位置に、前後方向に延びる長孔がそれぞれ形成されており、上記長孔を下方から貫通し対応する上記ナットにそれぞれねじ嵌合する少なくとも２つのボルトによって、上記楔片材は、前後方向にスライド変位可能に保持されていることを特徴とする請求項２記載の棚板である。
【００１０】
請求項４記載の発明は、上記楔片材の後端縁は、後方に向かうにしたがって棚板の下面に近づく上向きの傾斜面を含むことを特徴とする請求項２または３記載の棚板である。
請求項５記載の発明は、上記楔片材の左右方向中央部には、楔片材を前方に変位させる際に手指をひっかける操作用の孔が形成されていることを特徴とする請求項２〜３のいずれかに記載の棚板である。
【発明の効果】
【００１１】
本発明によれば、工具を用いることなく、桟パネルに対して棚板を容易に取り付けおよび取り外しすることができる。すなわち、桟パネルの桟材間の何れかの隙間に、棚板の奥縁を差し込み、棚板を持ち上げて係合溝に桟材を嵌め入れ、楔片材を後位置にスライドさせる。これにより、棚板が桟パネルに固定される。また、逆の操作により、桟パネルに対して棚板を容易に取り外すことができる。また、棚板を桟パネルの桟材間の任意の隙間に対して容易に着脱できるので、桟パネルに対して棚板のレイアウトを容易に変更することができる。
【図面の簡単な説明】
【００１２】
【図１】本発明の第１の実施形態の棚板の取付構造が適用された棚の斜視図である。
【図２】図１の棚板の斜視図である。
【図３】図３（ａ）は、棚板の下面図であり、図３（ｂ）は、図３（ａ）の IIIｂ− IIIｂ線に沿う断面図である。
【図４】図１に示す桟パネルと棚板の関連寸法を示すための棚板の側面図と、桟パネルの断面図である。
【図５】図５（ａ）、図５（ｂ）および図５（ｃ）は、棚板を桟パネルに取り付けるときの状態を、作業の進行に沿って示す模式図である。
【図６】本発明の第２の実施形態の棚板の取付構造が適用された棚の斜視図である。
【図７】図６の棚板と桟パネルの側面図であり、桟パネルの一部が断面表示されている。
【発明を実施するための形態】
【００１３】
以下では、本発明の一実施の形態を、添付図面を参照して詳細に説明する。
図１は、本発明の第１の実施形態の棚板の取付構造が適用された棚の斜視図である。図１を参照して、棚１は、棚受け用の取付壁としての桟パネル２と、棚板３とを有している。棚板３は、本実施形態の取付構造により、桟パネル２に取り付けられている。桟パネル２および棚板３は、この実施形態では木材により形成されている。
【００１４】
なお、以下では、棚１の正面視を基準に方向を説明する。すなわち、桟パネル２は、上下方向Ｚ１および左右方向Ｘ１に広がっている。棚板３は、桟パネル２から前方に突出して取り付けられている。
桟パネル２は、図示しないが、例えば、机の奥側や左右側方に立設されたり、建物の壁面に固定される。桟パネル２は、左右方向Ｘ１に延びる棒状の複数の桟材４と、複数の桟材４を支持する枠材５とを有している。枠材５の内側に複数の桟材４が配置されている。すなわち、左右方向Ｘ１に関する桟材４の両端部が、枠材５に固定されている。
【００１５】
複数の桟材４は、上下方向Ｚ１に互いに一定の間隔Ｌ１を開けて配列されている。これにより、桟パネル２は、棚受用の取付壁を構成している。すなわち、上下方向Ｚ１に隣接する一対の桟材４の間には、一定の間隔Ｌ１をあけて隙間６が区画されている。これにより、何れの隙間６に対しても、棚板３が取り外し可能に取り付けられるようになっている。
【００１６】
本実施形態の棚板３は、桟パネル２の前面にレイアウト変更自在に取り付けることができる。例えば、左右方向Ｘ１に関する棚板３の位置を自在に変更できる。また、上下方向Ｚ１に関する棚板３の位置を自在に変更できる。
図２は、図１の棚板３の斜視図である。図１および図２を参照して、棚板３は、水平方向に広がっている。すなわち、棚板３は、左右方向Ｘ１および前後方向Ｙ１にともに広がっている。棚板３は、平面視で矩形をなしている。棚板３は、左右方向Ｘ１に延びる直線状の奥縁１１を有している。奥縁１１が桟パネル２の桟材４間の隙間６に差し込まれることにより、棚板３が桟パネル２に支持される。
【００１７】
棚板３の上面１２には、文房具等の被載置物を載せるための浅い窪み１３が形成されている。この窪み１３は、後方に向かうにしたがって下方に下がる緩い傾斜面により形成されており、被載置物を安定して載せることができる。
棚板３の上面１２において奥縁１１寄りの部分に、係合溝１４が形成されている。この係合溝１４は、桟パネル２の桟材４に係合する。
【００１８】
係合溝１４は、奥縁１１とは所定の間隔Ｇ１を開けて奥縁１１に対して平行に延びている。係合溝１４は、断面矩形に形成されている。係合溝１４は、一対の段差部１５，１６と、溝底１７とを有している。溝底１７は平面である。
一対の段差部１５，１６は、係合溝１４において奥側および手前側に互いに対向して配置されている。各段差部１５，１６は、棚板３の上面１２の平坦な頂部から略鉛直方向下方へ向けて延びるとともに左右方向Ｘ１に沿って延びている。例えば、段差部１５，１６は、棚板３の上面１２の頂部に対して略直角に形成された平面からなる。
【００１９】
図３（ａ）は、棚板３の下面図であり、図３（ｂ）は、図３（ａ）の IIIｂ− IIIｂ線に沿う断面図である。図２および図３を参照して、棚板３を桟パネル２に固定するために、棚板３の下面１８に楔片材２０が取り付けられている。
楔片材２０は、例えば木製の板材により形成されており、左右方向Ｘ１に延びている。楔片材２０は、棚板３の下面１８に沿って前後方向Ｙ１にスライド変位可能とされ、係合溝１４の下に位置する後位置と、係合溝１４の下から前方寄りに外れた前位置とに変位可能とされている。なお、図３（ａ）には、後位置にある楔片材２０を実線で図示し、前位置にある楔片材２０を一点鎖線で図示した。
【００２０】
具体的には、棚板３の下面１８には、左右方向Ｘ１に互いに離隔して２つのナット２１が埋設されている。楔片材２０には、左右方向Ｘ１に互いに所定の間隔をあけてナット２１の埋設位置に対応する位置に、前後方向Ｙ１に延びる長孔２２がそれぞれ形成されている。長孔２２を下方から貫通し対応するナット２１にそれぞれねじ嵌合する２つのボルト２３によって、楔片材２０は、前後方向Ｙ１にスライド変位可能に保持されている。
【００２１】
楔片材２０を取り付けるには、左右方向Ｘ１に離隔して配置された少なくとも２つのナット２１およびボルト２３を用いるのが好ましい。
ナット２１は、筒状の金属部材からなり、一端面が棚板３の下面１８に面一になるように、かつ、棚板内で回転しないように埋設されている。
ボルト２３は、太径部としての頭部と、細径部としての軸部とを有している。軸部の外周に雄ねじが形成されている。ボルト２３の雄ねじと、ナット２１の雌ねじとが、ねじ嵌合する。
【００２２】
左右方向Ｘ１および前後方向Ｙ１の両方向に関して、長孔２２の上部が相対的に小さく、長孔２２の下部が相対的に大きく形成されている。長孔２２の上部を、ボルト２３の軸部が挿通している。長孔２２の下部には、ボルト２３の頭部が収容されている。長孔２２の上部と下部とは、平面からなる接続面により接続されている。この接続面に、ボルト２３の頭部が接触している。
【００２３】
また、楔片材２０は、上下方向Ｚ１に互い対向する上面３０および下面３１を有している。上面３０および下面３１は、互いに平行に形成され、平坦面からなる。
楔片材２０は、左右方向Ｘ１に直線状に延びる後端面３２を有している。後端面３２は、後方に向かうにしたがって棚板３の下面１８に近づく上向きの傾斜面である。楔片材２０の下面３１において、左右方向Ｘ１に関する楔片材２０の中央部３４には、操作用の孔３５が形成されている。この孔３５の中に指を入れて、この指で、孔３５の縁部を押し引きできるようにされている。
【００２４】
図４は、図１に示す桟パネル２と棚板３の関連寸法を示すための棚板３の側面図と、桟パネル２の断面図である。図５（ａ）、図５（ｂ）および図５（ｃ）は、この記載の順に、棚板３を桟パネル２に取り付ける状態を、作業の進行に沿って示す模式図である。
図４および図５（ｃ）を参照して、桟材４は、当該桟材４の直上方に取り付けられる棚板３を支持する支持面としての上面４０を有している。上面４０は、前後方向Ｙ１および左右方向Ｘ１にともに直線状に延びる平坦面により形成されている。
【００２５】
桟材４は、係合溝１４と係合する係合部として、下面４１、前面４２、および後面４４を有している。具体的には、後面４４の下部が、係合溝１４の後側にある段差部１５と当接する。前面４２の下部が、係合溝１４の前側にある段差部１６と当接する。下面４１が、係合溝１４の溝底１７と当接する。
また、係合溝１４が、桟パネル２に含まれる何れの桟材４に対しても下方から嵌まり得るように、前後方向Ｙ１に関して、係合溝１４の溝幅Ｌ２と、各桟材４の前面４２および後面４４の下部同士の間隔Ｌ３とが互いに等しくされている（Ｌ２＝Ｌ３）。これとともに、上下方向Ｚ１に関して、棚板３の奥縁１１の高さ寸法Ｌ４が、桟材４間の間隔Ｌ１よりも小さくされている（Ｌ４＜Ｌ１）。さらに、上下方向Ｚ１に関して、楔片材２０の厚みＬ５（上面３０および下面３１間の距離）と、棚板３の係合溝１４の溝底１７および下面１８間の距離Ｌ６との和Ｌ７は、桟材４間の間隔Ｌ１と等しくされている（Ｌ５＋Ｌ６＝Ｌ７＝Ｌ１）。
【００２６】
従って、楔片材２０が後位置にあるときに、楔片材２０が、棚板３の下面１８と、この下面１８と上下に対向する桟材４との間に嵌まっている。これにより、係合溝１４と桟材４との係合解除が防止されることを通じて、棚板３が桟パネル２に固定されている。これとともに、楔片材２０が前位置にあるときに、棚板３が桟材４間の隙間６に対して着脱可能とされている。
【００２７】
図５（ａ）を参照して、棚板３を取り付けるときには、先ず、楔片材２０を前位置に配置しておく。次に、桟パネル２の桟材４間の何れかの隙間６に、棚板３の奥縁１１を前方から差し込む。
図５（ｂ）を参照して、棚板３の奥縁１１が、桟材４の後方へ達すると、棚板３を持ち上げて係合溝１４に桟材４を嵌め入れる。
【００２８】
図５（ｃ）を参照して、次に、楔片材２０を後位置にスライドさせる。これにより、棚板３が桟パネル２に固定される。この状態で、棚板３の上側にある桟材４の後面４４および前面４２と係合溝１４の一対の段差部１５，１６とが互いに係合するので、前後方向Ｙ１に関する棚板３の移動が規制される。また、棚板３の上側にある桟材４の下面４１と棚板３の係合溝１４の溝底１７とが互いに係合するとともに、棚板３の下側にある桟材４の上面４０と楔片材２０とが係合しているので、上下方向Ｚ１に関する棚板３の移動が規制される。従って、棚板３が桟パネル２に固定される。
【００２９】
逆の操作により、桟パネル２から棚板３を容易に取り外すことができる。すなわち、先ず、桟パネル２に取り付けられた棚板３の下面１８において、楔片材２０を前位置に変位させる（図５（ｂ）参照。）。次に、棚板３を下方へ移動させて、桟材４と係合溝１４との係合を解除し、次に、棚板３を桟材４間の隙間６から引き出す（図５（ａ）参照。）
本実施形態について、以下のような変形例を考えることができる。以下の説明では、上述の実施形態と異なる点のみを図示して、この点を説明する。なお、他の構成については、上述の実施形態と同様である。
【００３０】
例えば、図６は、第２の実施形態としての棚板３の斜視図である。図７は、図６に示す棚板３と桟パネル２の側面図であり、桟パネル２の一部が断面表示されている。図６および図７を参照して、本実施形態の棚板３の左右両側面に、一対の側板５０が取り付けられている。この側板５０の後面５１は、棚板３の上面１２から上方に延びる上部と、棚板３の下面１８から下方に延びる下部とを有している。
【００３１】
側板５０の後面５１の下部が、棚板３の下方にある桟材４の前面４２に当接している。これにより、棚板３は、より一層安定して支持される。また、側板５０の後面５１の上部が、棚板３の上方にある桟材４の前面４２に当接してもよい。
また、側板５０の後面５１の上部は、上端部に切り欠かれて形成された逃げ部５４を有している。この逃げ部５４は、棚板３を桟パネル２に取り付けるときに、当該棚板３よりも上方にある桟材４や枠材５から逃げるようにされている。これにより、棚板３を斜めに取り付ける場合に、桟材４と側板５０との干渉を防止でき、側板５０付きの棚板３を容易に取り付けることができる。
【００３２】
また、上述の各実施形態の桟材４は、断面矩形であったが、これには限定されず、例えば、矩形の一部が切り欠かれた形状等の矩形に近似した形状であってもよく、上面、下面、前面、および後面の各面が平坦面を含めば好ましい。その他、特許請求の範囲に記載された事項の範囲内で種々の変更を施すことができる。
【符号の説明】
【００３３】
２…桟パネル
３…棚板
４…桟材
６…隙間
１１…奥縁
１２…棚板の上面
１４…係合溝
１５，１６…段差部
１８…棚板の下面
２０…楔片材
２１…ナット
２２…長孔
２３…ボルト
３２…後端（傾斜面）
３４…中央部
３５…操作用の孔
Ｋ１…取付構造
Ｌ１…間隔
Ｇ１…間隔
Ｘ１…左右方向（水平方向）
Ｙ１…前後方向（水平方向）
Ｚ１…上下方向
【図２】
2011041608.tif 000003
【図３】
2011041608.tif 000004
【図４】
2011041608.tif 000005
【図５】
2011041608.tif 000006
【図６】
2011041608.tif 000007
【図７】
2011041608.tif 000008
【図１】
2011041608.tif 000009